(57)【要約】  本開示の一実施の形態に係る生体情報処理装置は、生成部と、出力部とを備えている。生成部は、コンタクトレンズを用いて得られた、涙、眼球もしくは視線についての第１の生体情報に基づいて、ユーザのリクエストに応じた分析結果を生成する。出力部は、生成部で生成された分析結果を、外部機器に出力する。
2019073675.tif 000002
【特許請求の範囲】
【請求項１】
コンタクトレンズを用いて得られた、涙、眼球、視線もしくはまぶた開閉についての第１の生体情報に基づいて、ユーザのリクエストに応じた分析結果を生成する生成部と、
前記生成部で生成された前記分析結果を、外部機器に出力する出力部と
を備えた
生体情報処理装置。
【請求項２】
前記第１の生体情報は、涙の成分、眼球内の血管、眼圧、視線もしくはまぶた開閉についての情報を含む
請求項１に記載の生体情報処理装置。
【請求項３】
前記リクエストは、前記ユーザの、前記第１の生体情報に基づいたパフォーマンスもしくはコンディションの管理である
請求項１に記載の生体情報処理装置。
【請求項４】
前記リクエストは、前記ユーザの、前記第１の生体情報に基づいた練習メニュー、食事メニューもしくは栄養メニューの提案である
請求項１に記載の生体情報処理装置。
【請求項５】
前記リクエストは、前記ユーザの、前記第１の生体情報に基づいた病気の兆候の有無の通知である
請求項１に記載の生体情報処理装置。
【請求項６】
前記生成部は、前記第１の生体情報が所定の条件を満たすとき、それを知らせるための制御信号を生成し、
前記出力部は、前記生成部で生成された前記制御信号を、前記外部機器に出力する
請求項５に記載の生体情報処理装置。
【請求項７】
前記生成部は、前記第１の生体情報に基づいて、前記リクエストに応じたアドバイスを更に生成し、
前記出力部は、前記生成部で生成された前記アドバイスを、前記外部機器に出力する
請求項１に記載の生体情報処理装置。
【請求項８】
前記生成部は、前記第１の生体情報と、前記ユーザが身に付けているウエアラブル装置を用いて得られた第２の生体情報とに基づいて、前記分析結果を生成する
請求項１に記載の生体情報処理装置。
【請求項９】
前記第２の生体情報は、脳波、脈拍、体温、汗もしくは姿勢についての情報を含む
請求項８に記載の生体情報処理装置。
【請求項１０】
前記生成部は、前記第１の生体情報および前記第２の生体情報に基づいて、前記リクエストに応じたアドバイスを更に生成し、
前記出力部は、前記生成部で生成された前記アドバイスを、前記外部機器に出力する
請求項８に記載の生体情報処理装置。
【発明の詳細な説明】
【技術分野】
【０００１】
本開示は、生体情報処理装置に関する。
【背景技術】
【０００２】
近年、コンタクトレンズを用いて生体情報を取得する方法が開発されている。
【先行技術文献】
【特許文献】
【０００３】
【特許文献１】特開２０１７−１２５９１４号公報
【発明の概要】
【０００４】
ところで、コンタクトレンズを用いて取得した生体情報のより効果的な活用が求められている。従って、コンタクトレンズを用いて取得した生体情報をより効果的に活用することの可能な生体情報処理装置を提供することが望ましい。
【０００５】
本開示の一実施の形態の生体情報処理装置は、生成部と、出力部とを備えている。生成部は、コンタクトレンズを用いて得られた、涙、眼球、視線もしくはまぶた開閉についての第１の生体情報に基づいて、ユーザのリクエストに応じた分析結果を生成する。出力部は、生成部で生成された分析結果を、外部機器に出力する。
【０００６】
本開示の一実施の形態の生体情報処理装置では、コンタクトレンズを用いて得られた、涙、眼球、視線もしくはまぶた開閉についての第１の生体情報に基づいて、ユーザのリクエストに応じた分析結果が生成される。これにより、ユーザが効果的に活用可能な分析結果がユーザに提供され得る。
【０００７】
本開示の一実施の形態の生体情報処理装置によれば、コンタクトレンズを用いて得られた、涙、眼球、視線もしくはまぶた開閉についての第１の生体情報に基づいて、ユーザのリクエストに応じた分析結果を生成するようにしたので、コンタクトレンズを用いて取得した生体情報をより効果的に活用することができる。なお、本開示の効果は、ここに記載された効果に必ずしも限定されず、本明細書中に記載されたいずれの効果であってもよい。
【図面の簡単な説明】
【０００８】
【図１】本開示の一実施形態の生体情報管理システムの概略構成の一例を表す図である。
【図２】図１のコンタクトレンズの機能ブロックの一例を表す図である。
【図３】図１のクレードルの機能ブロックの一例を表す図である。
【図４】図１の端末装置の機能ブロックの一例を表す図である。
【図５】図１のデータサーバ装置の機能ブロックの一例を表す図である。
【図６】図１のウェブサーバ装置の機能ブロックの一例を表す図である。
【図７】図１の生体情報管理システムにおける検出データの送受信の手順の一例を表す図である。
【図８】図１の生体情報管理システムにおけるリクエストデータおよび分析データの送受信の手順の一例を表す図である。
【図９】図１の生体情報管理システムの概略構成の一変形例を表す図である。
【図１０】図１の生体情報管理システムの概略構成の一変形例を表す図である。
【図１１】図１０のウエアラブル装置の機能ブロックの一例を表す図である。
【図１２】図１０の生体情報管理システムにおける検出データの送受信の手順の一例を表す図である。
【図１３】図１の生体情報管理システムの概略構成の一変形例を表す図である。
【発明を実施するための形態】
【０００９】
以下、本開示を実施するための形態について、図面を参照して詳細に説明する。なお、説明は以下の順序で行う。
１．実施の形態
クレードルを介してデータサーバ装置にデータ送信を
行う例（図１〜図８）
２．変形例
変形例Ａ…直接、データサーバ装置にデータ送信を行う例（図９）
変形例Ｂ…コンタクトレンズとウエアラブル装置から
生体情報を取得する例（図１０〜図１３）
【００１０】
＜１．実施の形態＞
[構成]
本開示の一実施の形態に係る生体情報管理システム１について説明する。図１は、生体情報管理システム１の概略構成例を表したものである。生体情報管理システム１は、ユーザの生体情報に基づいて、ユーザのリクエストに応じた分析を行い、その結果を、ユーザなどが所有する携帯端末（外部機器）に出力するシステムである。
【００１１】
生体情報管理システム１は、コンタクトレンズ２００、クレードル３００、端末装置４００、データサーバ装置５００およびウェブサーバ装置６００を備えている。クレードル３００が、本開示の「生体情報処理装置」の一具体例に相当する。また、ウェブサーバ装置６００が、本開示の「生体情報処理装置」の一具体例に相当する。
【００１２】
クレードル３００、端末装置４００、データサーバ装置５００およびウェブサーバ装置６００は、ネットワーク１００を介して相互に接続される。ネットワーク１００は、例えば、インターネットで標準的に利用されている通信プロトコル（ＴＣＰ／ＩＰ）を用いて通信を行う通信ネットワークである。ネットワーク１００は、例えば、そのネットワーク独自の通信プロトコルを用いて通信を行うセキュアな通信ネットワークであってもよい。ネットワーク１００は、例えば、インターネット、イントラネット、または、ローカルエリアネットワークである。ネットワーク１００は、例えば、有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００１３】
一方、コンタクトレンズ２００は、クレードル３００との間で、例えば、近距離の無線通信を行う。コンタクトレンズ２００は、例えば、クレードル３００の筐体内の所定の箇所に固定された状態で、クレードル３００との間で、近距離の無線通信を行う。コンタクトレンズ２００とクレードル３００との間の通信は、例えば、ＩＳＯ／ＩＥＣ１４４４３（近接型ＲＦＩＤの国際標準規格）や、ＩＳＯ／ＩＥＣ１８０９２（ＮＦＣと呼ばれる無線通信の国際規格）、ＩＳＯ／ＩＥＣ１５６９３（ＲＦＩＤの国際標準規格）、または、ブルートゥース（Bluetooth（登録商標））等によって行われる。
【００１４】
（コンタクトレンズ２００）
図２は、コンタクトレンズ２００の機能ブロックの一例を表したものである。コンタクトレンズ２００は、例えば、記憶部２１０、センサ部２２０、通信部２３０および制御部２４０を有している。
【００１５】
通信部２３０は、クレードル３００と近距離の無線通信を行う。記憶部２１０は、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。記憶部２１０は、制御部２４０によって実行されるプログラム（例えば、処理プログラム２１２）などを記憶している。処理プログラム２１２は、センサ部２２０から、生体情報である検出データ２１１を取得したり、取得した検出データ２１１を、通信部２３０を介してクレードル３００に出力したりするためのプログラムである。検出データ２１１は、コンタクトレンズ２００を用いて得られたデータであり、具体的には、センサ部２２０によって検出された生体情報である。制御部２４０は、プロセッサを含んで構成されており、例えば、記憶部２１０に記憶された処理プログラム２１２を実行する。制御部２４０の機能は、例えば、制御部２４０によって処理プログラム２１２が実行されることによって実現される。
【００１６】
センサ部２２０は、コンタクトレンズ２００が装着されているユーザの生体情報を取得する。センサ部２２０は、例えば、涙に含まれる特定の成分（例えば、塩分、酸素、脂質、または血糖値）を検出するデバイスである。この場合、センサ部２２０によって検出されることにより得られるデータ（検出データ２１１）は、涙の成分についての情報（第１の生体情報）である。なお、センサ部２２０は、例えば、視線を検出するするデバイス、眼球内の血管の状態を検出するデバイス、眼球内の血管の脈拍を検出するデバイス、または、眼圧を検出するデバイスであってもよい。センサ部２２０が視線を検出するするデバイスである場合には、検出データ２１１は、視線についての生体情報（第１の生体情報）である。センサ部２２０が眼球内の血管の状態を検出するデバイスである場合には、検出データ２１１は、眼球内の血管についての情報（第１の生体情報）である。センサ部２２０が眼圧を検出するデバイスである場合には、検出データ２１１は、眼圧についての生体情報（第１の生体情報）である。センサ部２２０は、例えば、まぶた開閉を検出するデバイスであってもよい。センサ部２２０がまぶた開閉を検出するデバイスである場合には、検出データ２１１は、まぶた開閉についての情報（第１の生体情報）である。
【００１７】
（クレードル３００）
図３は、クレードル３００の機能ブロックの一例を表したものである。クレードル３００は、例えば、記憶部３１０、保持部３２０、通信部３３０，３４０および制御部３５０を有している。保持部３２０が、本開示の「保持部」の一具体例に相当する。制御部３５０および通信部３３０が、本開示の「取得部」の一具体例に相当する。制御部３５０および通信部３４０が、本開示の「出力部」の一具体例に相当する。
【００１８】
保持部３２０は、例えば、クレードル３００の筐体内に設けられており、コンタクトレンズ２００を保持する。通信部３３０は、保持部３２０に保持されたコンタクトレンズ２００と近距離の無線通信を行う。具体的には、通信部３３０は、保持部３２０に保持されたコンタクトレンズ２００の記憶部２１０から、生体情報である検出データ２１１を取得する。通信部３４０は、ネットワーク１００を介してウェブサーバ装置６００と通信を行う。具体的には、通信部３４０は、通信部３３０で取得した検出データ２１１を、ネットワーク１００を介してウェブサーバ装置６００に出力する。
【００１９】
記憶部３１０は、例えば、不揮発性メモリによって構成されており、例えば、ＥＥＰＲＯＭ、フラッシュメモリ、抵抗変化型メモリなどによって構成されている。記憶部３１０は、制御部３５０によって実行されるプログラム（例えば、処理プログラム３１１）などを記憶している。処理プログラム３１１は、コンタクトレンズ２００から通信部３３０を介して検出データ２１１を取得したり、取得した検出データ２１１を、通信部３４０およびネットワーク１００を介してウェブサーバ装置６００に出力したりするためのプログラムである。制御部３５０は、プロセッサを含んで構成されており、例えば、記憶部３１０に記憶された処理プログラム３１１を実行する。制御部３５０の機能は、例えば、制御部３５０によって処理プログラム３１１が実行されることによって実現される。
【００２０】
（端末装置４００）
図４は、端末装置４００の機能ブロックの一例を表したものである。端末装置４００は、ユーザが生体情報の分析に必要なリクエストを入力したり、ユーザのリクエストに応じた分析結果を表示したりするために使用される端末装置である。端末装置４００は、ユーザからのリクエストを受け付けたり、ユーザのリクエストに応じた分析結果を表示したりするためのインターフェースを有している。端末装置４００は、例えば、記憶部４１０、通信部４２０、受付部４３０、表示部４４０および制御部４５０を有している。
【００２１】
受付部４３０は、キーボードやタッチパネルなどで構成されている。表示部４４０は、制御部４５０から入力された映像信号に基づく表示を行う。表示部４４０がタッチパネルの機能を有している場合には、タッチパネルの機能が受付部４３０の機能を担ってもよい。記憶部４１０は、制御部４５０によって実行されるプログラム（例えば、ウェブブラウザプログラム４１２や、オペレーティングシステム）などを記憶している。記憶部４１０には、リクエストデータ４１１や、分析データ６１１が記憶される。
【００２２】
リクエストデータ４１１は、ユーザから受け付けたリクエストについてのデータである。ユーザからのリクエストには、例えば、ユーザの、生体情報（第１の生体情報）に基づいたパフォーマンスもしくはコンディションの管理のリクエスト（以下、「リクエストＡ」と称する。）が含まれる。なお、ユーザからのリクエストには、例えば、ユーザの、生体情報（第１の生体情報）に基づいた練習メニュー、食事メニューもしくは栄養メニューの提案のリクエスト（以下、「リクエストＢ」と称する。）が含まれていてもよい。また、ユーザからのリクエストには、例えば、ユーザの、前記第１の生体情報に基づいた病気の兆候の有無の通知のリクエスト（以下、「リクエストＣ」と称する。）が含まれていてもよい。
【００２３】
分析データ６１１は、リクエストデータ４１１応じた分析結果についてのデータである。リクエストデータ４１１が「リクエストＡ」である場合、分析データ６１１は、ユーザのパフォーマンスもしくはコンディションについてのデータである。リクエストデータ４１１が「リクエストＢ」である場合、分析データ６１１は、ユーザの練習メニュー、食事メニューもしくは栄養メニューの提案についてのデータである。リクエストデータ４１１が「リクエストＣ」である場合、分析データ６１１は、ユーザの病気の兆候についてのデータである。
【００２４】
制御部４５０は、プロセッサを含んで構成されており、記憶部４１０に記憶されたウェブブラウザプログラム４１２や、オペレーティングシステムなどを実行する。通信部４２０は、ネットワーク１００を介して、生体情報管理システム１内の他の装置（ウェブサーバ装置６００やクレードル３００等）と通信を行う。端末装置４００におけるユーザインターフェース（表示部４４０）は、例えば、ウェブサーバ装置６００から取得したアプリケーション（例えばｈｔｍｌデータ）をウェブブラウザプログラム４１２で処理することにより実現される。
【００２５】
（データサーバ装置５００）
図５は、データサーバ装置５００の機能ブロックの一例を表したものである。データサーバ装置５００は、例えば、コンタクトレンズ２００を用いて得られた検出データ２１１や、ウェブサーバ装置６００でのデータ処理により得られた分析データ６１１を記憶するための装置である。
【００２６】
データサーバ装置５００は、例えば、記憶部５１０、通信部５２０および制御部５３０を有している。制御部５３０は、通信部５２０を介して外部から入力された情報を記憶部５１０に格納したり、記憶部５１０から読み出した情報を、通信部５２０を介して外部に出力したりする。通信部５２０は、ネットワーク１００を介して、他の機器と通信を行う。記憶部５１０は、例えば、不揮発性メモリによって構成されており、例えば、ＥＥＰＲＯＭ、フラッシュメモリ、抵抗変化型メモリなどによって構成されている。記憶部５１０には、例えば、検出データ２１１や、分析データ６１１が記憶される。
【００２７】
（ウェブサーバ装置６００）
図６は、ウェブサーバ装置６００の機能ブロックの一例を表したものである。ウェブサーバ装置６００は、端末装置４００におけるユーザインターフェースを提供する。ウェブサーバ装置６００は、さらに、コンタクトレンズ２００を用いて得られた検出データ２１１に基づいて、ユーザから受け付けたリクエストデータ４１１に応じた分析結果（分析データ６１１）を生成する。ウェブサーバ装置６００は、例えば、記憶部６１０、通信部６２０および制御部６３０を有している。制御部６３０が、本開示の「生成部」の一具体例に相当する。制御部６３０および通信部６２０が、本開示の「出力部」の一具体例に相当する。
【００２８】
通信部６２０は、ネットワーク１００を介して、生体情報管理システム１内の他の装置（例えばデータサーバ装置５００や、端末装置４００等）と通信を行う。記憶部６１０は、例えば、不揮発性メモリによって構成されており、例えば、ＥＥＰＲＯＭ、フラッシュメモリ、抵抗変化型メモリなどによって構成されている。記憶部６１０は、制御部６３０によって実行されるプログラム（例えば、ウェブサーバプログラム６１２や、ウェブアプリケーションプログラム６１３）などを記憶している。ウェブアプリケーションプログラム６１３は、ネットワーク１００を介して使用するアプリケーションプログラムである。ウェブアプリケーションプログラム６１３は、コンタクトレンズ２００を用いて得られた検出データ２１１に基づいて、ユーザから受け付けたリクエストデータ４１１に応じた分析結果（分析データ６１１）を生成するプログラムである。ウェブアプリケーションプログラム６１３は、ウェブサーバプログラム６１２とウェブブラウザプログラム４１２とが協調することによって動作する。
【００２９】
制御部６３０は、プロセッサを含んで構成されており、例えば、記憶部６１０に記憶されたウェブサーバプログラム６１２や、ウェブアプリケーションプログラム６１３などを実行する。制御部６３０の機能は、例えば、制御部６３０によって、ウェブサーバプログラム６１２やウェブアプリケーションプログラム６１３が実行されることによって実現される。具体的には、制御部６３０は、コンタクトレンズ２００を用いて得られた検出データ２１１に基づいて、ユーザから受け付けたリクエストデータ４１１に応じた分析結果（分析データ６１１）を生成する。
【００３０】
制御部６３０は、検出データ２１１が所定の条件を満たすとき、それを知らせるための制御信号６３０Ａを生成し、生成した制御信号６３０Ａを、通信部５２０を介して端末装置４００に出力してもよい。「所定の条件」とは、例えば、ユーザのパフォーマンスもしくはコンディションにおいて注意喚起を必要とする条件を指している。制御信号６３０Ａは、例えば、注意喚起を行う文字データである。
【００３１】
[動作]
（検出データの保存）
次に、生体情報管理システム１における検出データ２１１の保存手順について説明する。
【００３２】
図７は、生体情報管理システム１における検出データ２１１の送受信の手順の一例を表したものである。ユーザは、まず、コンタクトレンズ２００を自身の眼球に装着する。その後、コンタクトレンズ２００において、センサ部２２０がユーザの生体情報（検出データ２１１）を取得する（ステップＳ１０１）。センサ部２２０が、涙に含まれる特定の成分（例えば、塩分、酸素、脂質、または血糖値）を検出するデバイスである場合には、検出データ２１１は、涙についての生体情報である。センサ部２２０が視線を検出するするデバイスである場合には、検出データ２１１は、視線についての生体情報である。センサ部２２０が眼球内の血管の状態を検出するデバイスである場合には、検出データ２１１は、眼球についての生体情報である。センサ部２２０が眼圧を検出するデバイスである場合には、検出データ２１１は、眼球についての生体情報である。センサ部２２０がまぶた開閉を検出するデバイスである場合には、検出データ２１１は、まぶた開閉についての生体情報である。
【００３３】
センサ部２２０は取得した生体情報（検出データ２１１）をクレードル３００に送信する（ステップＳ１０２）。クレードル３００は、センサ部２２０から検出データ２１１を受信すると（ステップＳ１０３）、受信した検出データ２１１をデータサーバ装置５００に送信する（ステップＳ１０４）。データサーバ装置５００は、クレードル３００から検出データ２１１を受信すると（ステップＳ１０５）、受信した検出データ２１１を記憶部５１０に保存する（ステップＳ１０６）。
【００３４】
（検出データの分析）
次に、生体情報管理システム１における検出データ２１１の分析手順について説明する。
【００３５】
図８は、生体情報管理システム１における検出データ２１１の分析手順の一例を表したものである。ユーザは、まず、端末装置４００に対して、リクエストを入力するためのユーザインターフェースの表示を要求する。すると、端末装置４００は、ウェブサーバ装置６００から取得したアプリケーションをウェブブラウザプログラム４１２で処理することにより、表示部４４０に、リクエストを入力するためのユーザインターフェースを表示する。ユーザは、表示されたユーザインターフェースおよび受付部４３０を用いて、リクエストデータ４１１を入力する。端末装置４００は、ユーザから入力されたリクエストデータ４１１を受け付けると（ステップＳ２０１）、受け付けたリクエストデータ４１１をウェブサーバ装置６００に送信する（ステップＳ２０２）。
【００３６】
ウェブサーバ装置６００は、端末装置４００からリクエストデータ４１１を受信すると（ステップＳ２０３）、受信したリクエストデータ４１１の内容に対応する検出データ２１１をデータサーバ装置５００から読み出す（ステップＳ２０４）。ウェブサーバ装置６００は、読み出した検出データ２１１に基づいて、リクエストデータ４１１に応じた分析結果（分析データ６１１）を生成する（ステップＳ２０５）。ウェブサーバ装置６００は、生成した分析データ６１１を端末装置４００に送信する（ステップＳ２０６）。端末装置４００は、ウェブサーバ装置６００から分析データ６１１を受信すると（ステップＳ２０７）、受信した分析データ６１１を表示部４４０に表示する（ステップＳ２０８）。
【００３７】
[効果]
次に、本実施の形態に係る生体情報管理システム１の効果について説明する。
【００３８】
本実施の形態では、コンタクトレンズ２００を用いて得られた、涙、眼球、視線もしくはまぶた開閉についての検出データ２１１に基づいて、リクエストデータ４１１に応じた分析データ６１１が生成される。これにより、ユーザが効果的に活用可能な分析結果（分析データ６１１）がユーザに提供され得る。その結果、ユーザは、例えば、分析データ６１１に基づいて、ユーザ自身のパフォーマンスもしくはコンディションの管理を行うことが可能となる。従って、コンタクトレンズ２００を用いて取得した生体情報（検出データ２１１）をより効果的に活用することができる。
【００３９】
また、本実施の形態では、検出データ２１１が、涙の成分、眼球内の血管、眼圧、視線もしくはまぶた開閉についての情報を含んでいる。これにより、涙の成分、眼球内の血管、眼圧、視線もしくはまぶた開閉に基づいた分析データ６１１が得られるので、ユーザは、例えば、分析データ６１１に基づいて、ユーザ自身のパフォーマンスもしくはコンディションの管理を行うことが可能となる。従って、コンタクトレンズ２００を用いて取得した生体情報（検出データ２１１）をより効果的に活用することができる。
【００４０】
また、本実施の形態において、リクエストデータ４１１が「リクエストＡ」である場合には、ユーザのパフォーマンスもしくはコンディションを効果的に管理できる分析結果（分析データ６１１）を得ることが可能になる。その結果、ユーザは、例えば、分析データ６１１に基づいて、ユーザ自身のパフォーマンスもしくはコンディションの管理を行うことが可能となる。従って、コンタクトレンズ２００を用いて取得した生体情報（検出データ２１１）をより効果的に活用することができる。
【００４１】
また、本実施の形態において、リクエストデータ４１１が「リクエストＢ」である場合には、ユーザの練習、食事もしくは栄養を効果的に管理できる分析結果（分析データ６１１）を得ることが可能になる。その結果、ユーザは、例えば、分析データ６１１に基づいて、ユーザの練習、食事もしくは栄養の管理を行うことが可能となる。従って、コンタクトレンズ２００を用いて取得した生体情報（検出データ２１１）をより効果的に活用することができる。
【００４２】
また、本実施の形態において、リクエストデータ４１１が「リクエストＣ」である場合には、ユーザの病気の兆候を効果的に管理できる分析結果（分析データ６１１）を得ることが可能になる。その結果、ユーザは、例えば、分析データ６１１に基づいて、ユーザの病気の兆候の管理を行うことが可能となる。従って、コンタクトレンズ２００を用いて取得した生体情報（検出データ２１１）をより効果的に活用することができる。
【００４３】
また、本実施の形態において、検出データ２１１が所定の条件を満たすとき、制御部５３０が、それを知らせるための制御信号６３０Ａを生成し、生成した制御信号６３０Ａを、通信部５２０を介して端末装置４００に出力する場合には、検出データ２１１が所定の条件を満たすことをいち早く、ユーザに知らせることができる。その結果、ユーザは、例えば、制御信号６３０Ａに基づいて、ユーザのパフォーマンスもしくはコンディションの変化（異変）を効果的に管理することが可能となる。従って、コンタクトレンズ２００を用いて取得した生体情報（検出データ２１１）をより効果的に活用することができる。
【００４４】
また、本実施の形態では、クレードル３００において、保持部３２０に保持されたコンタクトレンズ２００の記憶部２１０から検出データ２１１が取得され、取得された検出データ２１１がウェブサーバ装置６００に出力される。これにより、クレードル３００を用いないで検出データ２１１をデータサーバ装置５００に送信する場合と比べて、コンタクトレンズ２００に要求される信号強度や消費電力を低減することができる。従って、ユーザのパフォーマンスもしくはコンディションをより安価に管理することができる。
【００４５】
また、本実施の形態では、クレードル３００において、近距離の無線通信によりコンタクトレンズ２００の記憶部２１０から検出データ２１１が取得される。これにより、クレードル３００を用いないで検出データ２１１をデータサーバ装置５００に送信する場合と比べて、コンタクトレンズ２００に要求される信号強度や消費電力を低減することができる。従って、ユーザのパフォーマンスもしくはコンディションをより安価に管理することができる。
【００４６】
また、本実施の形態では、クレードル３００において、制御部３５０で取得した検出データ２１１が、通信ネットワーク１００を介してウェブサーバ装置６００に出力される。これにより、クレードル３００を用いないで検出データ２１１をデータサーバ装置５００に送信する場合と比べて、検出データ２１１をより確実にデータサーバ装置５００に送信することができる。従って、ユーザのパフォーマンスもしくはコンディションをより確実に管理することができる。
【００４７】
＜２．変形例＞
[変形例Ａ]
上記実施の形態において、コンタクトレンズ２００が、記憶部２１０、センサ部２２０、通信部２３０および制御部２４０を有しておらず、涙を蓄えるための構造を有していてもよい。この場合、クレードル３００は、通信部３３０の代わりに、例えば、保持部３２０に保持されたコンタクトレンズ２００に蓄えられた涙に対して光を照射する光源と、この光源から涙に対して照射された光のうち、涙を透過した光を検出する受光部とを有していてもよい。さらに、これら光源および受光部を有するクレードル３００において、制御部３５０が、受光部での光の検出により受光部から出力された検出信号に基づいて、例えば、涙に含まれる特定の成分（例えば、塩分、酸素、脂質、または血糖値）の濃度を分析するようになっていてもよい。クレードル３００がこのような構成となっている場合には、コンタクトレンズ２００に通信機能を持たせた場合と比べて、人体への影響を最小限に抑えつつ、ユーザのパフォーマンスもしくはコンディションを効果的に管理することができる。
【００４８】
[変形例Ｂ]
上記実施の形態において、コンタクトレンズ２００が、例えば、図９に示したように、クレードル３００を介さずに、直接、ネットワーク１００を介して、データサーバ装置５００と通信するように構成されていてもよい。このようにした場合であっても、ユーザが効果的に活用可能な分析結果（分析データ６１１）をユーザに提供することができるので、コンタクトレンズ２００を用いて取得した生体情報（検出データ２１１）をより効果的に活用することができる。
【００４９】
[変形例Ｃ]
上記実施の形態において、制御部６３０が、検出データ２１１に基づいて、リクエストデータ４１１に応じたアドバイス６３０Ｂを更に生成し、生成したアドバイス６３０Ｂを、通信部６２０を介して端末装置４００に出力するように構成されていてもよい。この場合には、例えば、ユーザ自らが分析データ６１１を考察しなくても、ユーザのパフォーマンスもしくはコンディションの改善に役立つアドバイスを得ることが可能となる。従って、例えば、ユーザのパフォーマンスもしくはコンディションを効果的に管理することができる。
【００５０】
[変形例Ｄ]
上記実施の形態において、生体情報管理システム１は、例えば、図１０に示したように、ユーザが身に付けることの可能なウエアラブル装置７００を更に備えていてもよい。ウエアラブル装置７００は、例えば、腕時計、ヘッドギア、ブレスレット、アンクレット、ネックレス、イヤリング、もしくは、靴に、後述の図１１に示したような電子部品が内蔵されたものである。
【００５１】
（ウエアラブル装置７００）
図１１は、ウエアラブル装置７００の機能ブロックの一例を表したものである。ウエアラブル装置７００は、ネットワーク１００を介して、データサーバ装置５００と通信するように構成されている。ウエアラブル装置７００は、例えば、記憶部７１０、センサ部７２０、通信部７３０および制御部７４０を有している。
【００５２】
通信部７３０は、ネットワーク１００を介してウェブサーバ装置６００と通信を行う。具体的には、通信部７３０は、センサ部７２０で生成した検出データ７１１を、ネットワーク１００を介してウェブサーバ装置６００に出力する。記憶部７１０は、例えば、不揮発性メモリによって構成されており、例えば、ＥＥＰＲＯＭ、フラッシュメモリ、抵抗変化型メモリなどによって構成されている。記憶部７１０は、制御部７４０によって実行されるプログラム（例えば、処理プログラム７１２）などを記憶している。処理プログラム７１２は、センサ部７２０から、生体情報である検出データ７１１を取得したり、取得した検出データ７１１を、通信部７３０およびネットワーク１００を介してデータサーバ装置５００に出力したりするためのプログラムである。検出データ７１１は、ウエアラブル装置７００（センサ部７２０）を用いて得られたデータであり、具体的には、センサ部７２０によって検出された生体情報である。制御部７４０は、プロセッサを含んで構成されており、例えば、記憶部７１０に記憶された処理プログラム７１２を実行する。制御部７４０の機能は、例えば、制御部７４０によって処理プログラム７１２が実行されることによって実現される。
【００５３】
センサ部７２０は、ウエアラブル装置７００が装着されているユーザの生体情報を取得する。センサ部７２０は、例えば、ユーザの脳波、脈拍、体温、汗もしくは姿勢を検出するデバイスである。この場合、センサ部７２０によって検出されることにより得られるデータ（検出データ７１１）は、脳波、脈拍、体温、汗もしくは姿勢についての情報（第２の生体情報）である。
【００５４】
[動作]
（検出データの保存）
次に、本変形例に係る生体情報管理システム１における検出データの保存手順について説明する。
【００５５】
図１２は、本変形例に係る生体情報管理システム１における検出データ２１１の送受信の手順の一例を表したものである。ユーザは、まず、ウエアラブル装置７００を自身の眼球に装着する。その後、ウエアラブル装置７００において、センサ部７２０がユーザの生体情報（検出データ７１１）を取得する（ステップＳ３０１）。センサ部７２０が、脳波を検出するデバイスである場合には、検出データ７１１は、脳波についての生体情報である。センサ部７２０が脈拍を検出するするデバイスである場合には、検出データ７１１は、脈拍についての生体情報である。センサ部７２０が体温を検出するデバイスである場合には、検出データ７１１は、体温についての生体情報である。センサ部７２０が汗を検出するデバイスである場合には、検出データ７１１は、汗についての生体情報である。センサ部７２０が姿勢を検出するデバイスである場合には、検出データ７１１は、姿勢についての生体情報である。
【００５６】
センサ部７２０は取得した生体情報（検出データ７１１）を、ネットワーク１００を介してデータサーバ装置５００に送信する（ステップＳ３０２）。データサーバ装置５００は、ウエアラブル装置７００から検出データ７１１を受信すると（ステップＳ３０３）、受信した検出データ７１１を記憶部５１０に保存する（ステップＳ３０４）。
【００５７】
（検出データの分析）
次に、本変形例に係る生体情報管理システム１における検出データの分析手順について説明する。
【００５８】
ユーザは、まず、端末装置４００に対して、リクエストを入力するためのユーザインターフェースの表示を要求する。すると、端末装置４００は、ウェブサーバ装置６００から取得したアプリケーションをウェブブラウザプログラム４１２で処理することにより、表示部４４０に、リクエストを入力するためのユーザインターフェースを表示する。ユーザは、表示されたユーザインターフェースおよび受付部４３０を用いて、リクエストデータ４１１を入力する。端末装置４００は、ユーザから入力されたリクエストデータ４１１を受け付けると（ステップＳ２０１、図８）、受け付けたリクエストデータ４１１をウェブサーバ装置６００に送信する（ステップＳ２０２、図８）。
【００５９】
ウェブサーバ装置６００は、端末装置４００からリクエストデータ４１１を受信すると（ステップＳ２０３、図８）、受信したリクエストデータ４１１の内容に対応する検出データ２１１，７１１をデータサーバ装置５００から読み出す（ステップＳ２０４、図８）。ウェブサーバ装置６００は、読み出した検出データ２１１，７１１に基づいて、リクエストデータ４１１に応じた分析結果（分析データ６１１）を生成する（ステップＳ２０５、図８）。ウェブサーバ装置６００は、生成した分析データ６１１を端末装置４００に送信する（ステップＳ２０６、図８）。端末装置４００は、ウェブサーバ装置６００から分析データ６１１を受信すると（ステップＳ２０７、図８）、受信した分析データ６１１を表示部４４０に表示する（ステップＳ２０８、図８）。
【００６０】
[効果]
次に、本変形例に係る生体情報管理システム１の効果について説明する。
【００６１】
本変形例では、コンタクトレンズ２００を用いて得られた検出データ２１１と、ユーザが身に付けているウエアラブル装置７００を用いて得られた検出データ７１１とに基づいて、リクエストデータ４１１に応じた分析データ６１１が生成される。ユーザが効果的に活用可能な分析結果（分析データ６１１）がユーザに提供され得る。その結果、ユーザは、例えば、分析データ６１１に基づいて、ユーザ自身のパフォーマンスもしくはコンディションの管理を行うことが可能となる。従って、コンタクトレンズ２００を用いて取得した生体情報（検出データ２１１）と、ウエアラブル装置７００を用いて取得した情報（検出データ７１１）とをより効果的に活用することができる。
【００６２】
本変形例では、検出データ７１１が、脳波、脈拍、体温、汗もしくは姿勢についての情報を含んでいる。これにより、脳波、脈拍、体温、汗もしくは姿勢に基づいた分析データ６１１が得られるので、ユーザは、例えば、分析データ６１１に基づいて、ユーザ自身のパフォーマンスもしくはコンディションの管理を行うことが可能となる。従って、コンタクトレンズ２００を用いて取得した生体情報（検出データ２１１）と、ウエアラブル装置７００を用いて取得した情報（検出データ７１１）とをより効果的に活用することができる。
【００６３】
本変形例において、制御部５３０が、検出データ２１１に基づいて、リクエストデータ４１１に応じたアドバイス６３０Ｂを更に生成し、生成したアドバイス６３０Ｂを、通信部５２０を介して端末装置４００に出力するように構成されていてもよい。この場合には、例えば、ユーザ自らが分析データ６１１を考察しなくても、ユーザのパフォーマンスもしくはコンディションの改善に役立つアドバイスを得ることが可能となる。従って、例えば、ユーザのパフォーマンスもしくはコンディションを効果的に管理することができる。
【００６４】
本変形例において、コンタクトレンズ２００が、例えば、図１３に示したように、クレードル３００を介さずに、直接、ネットワーク１００を介して、データサーバ装置５００と通信するように構成されていてもよい。このようにした場合であっても、ユーザが効果的に活用可能な分析結果（分析データ６１１）をユーザに提供することができるので、コンタクトレンズ２００を用いて取得した生体情報（検出データ２１１）と、ウエアラブル装置７００を用いて取得した情報（検出データ７１１）とをより効果的に活用することができる。
【００６５】
以上、実施の形態およびその変形例を挙げて本開示を説明したが、本開示は上記実施の形態等に限定されるものではなく、種々変形が可能である。
【００６６】
上記実施の形態およびその変形例では、センサ部７２０は、ウエアラブル装置７００が装着されているユーザの生体情報を取得していた。しかし、上記実施の形態およびその変形例において、センサ部７２０が、衝撃、速度、移動距離、または大気の酸素濃度を取得してもよい。この場合、ウェブサーバ装置６００（制御部６３０）は、データサーバ装置５００に検出データ７１１として格納された、衝撃、速度、移動距離、および大気の酸素濃度のうち少なくとも１つに基づいて、ユーザの運動量および行動（例えば、運動内容、作業内容、寝たきりや入院中の状態など）を推定する。センサ部７２０が、さらに、ユーザの音声を取得してもよい。この場合、ウェブサーバ装置６００（制御部６３０）は、データサーバ装置５００に検出データ７１１として格納された、衝撃、速度、移動距離、および大気の酸素濃度のうち少なくとも１つ、および音声に基づいて、ユーザの状況を判断し、その上で、ユーザの運動量および行動（例えば、運動内容、作業内容、寝たきりや入院中の状態など）を推定する。
【００６７】
ウェブサーバ装置６００（制御部６３０）は、推定したユーザの運動量および行動についての情報を、分析データ６１１として、端末装置４００に送信する。その結果、ユーザは、例えば、分析データ６１１に基づいて、例えば、ユーザの一日の行動の管理を行ったり、不足している運動やリハビリについて検討を行ったりすることができる。
【００６８】
なお、本明細書中に記載された効果は、あくまで例示である。本開示の効果は、本明細書中に記載された効果に限定されるものではない。本開示が、本明細書中に記載された効果以外の効果を持っていてもよい。
【００６９】
また、例えば、本開示は以下のような構成を取ることができる。
（１）
コンタクトレンズを用いて得られた、涙、眼球、視線もしくはまぶた開閉についての第１の生体情報に基づいて、ユーザのリクエストに応じた分析結果を生成する生成部と、
前記生成部で生成された前記分析結果を、外部機器に出力する出力部と
を備えた
生体情報処理装置。
（２）
前記第１の生体情報は、涙の成分、眼球内の血管、眼圧、視線もしくはまぶた開閉についての情報を含む
（１）に記載の生体情報処理装置。
（３）
前記リクエストは、前記ユーザの、前記第１の生体情報に基づいたパフォーマンスもしくはコンディションの管理である
（１）または（２）に記載の生体情報処理装置。
（４）
前記リクエストは、前記ユーザの、前記第１の生体情報に基づいた練習メニュー、食事メニューもしくは栄養メニューの提案である
（１）または（２）に記載の生体情報処理装置。
（５）
前記リクエストは、前記ユーザの、前記第１の生体情報に基づいた病気の兆候の有無の通知である
（１）または（２）に記載の生体情報処理装置。
（６）
前記生成部は、前記第１の生体情報が所定の条件を満たすとき、それを知らせるための制御信号を生成し、
前記出力部は、前記生成部で生成された前記制御信号を、前記外部機器に出力する
（５）に記載の生体情報処理装置。
（７）
前記生成部は、前記第１の生体情報に基づいて、前記リクエストに応じたアドバイスを更に生成し、
前記出力部は、前記生成部で生成された前記アドバイスを、前記外部機器に出力する
（１）ないし（６）のいずれか１つに記載の生体情報処理装置。
（８）
前記生成部は、前記第１の生体情報と、前記ユーザが身に付けているウエアラブル装置を用いて得られた第２の生体情報とに基づいて、前記分析結果を生成する
（１）ないし（６）のいずれか１つに記載の生体情報処理装置。
（９）
前記第２の生体情報は、脳波、脈拍、体温、汗もしくは姿勢についての情報を含む
（８）に記載の生体情報処理装置。
（１０）
前記生成部は、前記第１の生体情報および前記第２の生体情報に基づいて、前記リクエストに応じたアドバイスを更に生成し、
前記出力部は、前記生成部で生成された前記アドバイスを、前記外部機器に出力する
（８）または（９）に記載の生体情報処理装置。
【００７０】
本出願は、日本国特許庁において２０１７年１０月１３日に出願された日本特許出願番号第２０１７−１９９３６１号を基礎として優先権を主張するものであり、この出願のすべての内容を参照によって本出願に援用する。
【００７１】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2019073675.tif 000003
【図２】
2019073675.tif 000004
【図３】
2019073675.tif 000005
【図４】
2019073675.tif 000006
【図５】
2019073675.tif 000007
【図６】
2019073675.tif 000008
【図７】
2019073675.tif 000009
【図８】
2019073675.tif 000010
【図９】
2019073675.tif 000011
【図１０】
2019073675.tif 000012
【図１１】
2019073675.tif 000013
【図１２】
2019073675.tif 000014
【図１３】
2019073675.tif 000015
【国際調査報告】
2019073675.tif 000016
2019073675.tif 000017
2019073675.tif 000018
2019073675.tif 000019